(57)【要約】      （修正有）【課題】各種現場に設置可能で取り扱いが容易で、撤収も容易なコンクリート打継用スペーサーを提供する。【解決手段】コンクリート打継用スペーサー１は、中芯１１を埋設された四角柱状の芯材１０を、合成樹脂製の袋体２０の内部に収納したものである。芯材１０は、四角柱を半割にした多孔質弾性体１２，１２の間に中芯１１を挟み込んだ状態で接着し合うことによって作成され、袋体２０の開口から挿入する様にして収納される。中芯１１は、幅が多孔質弾性体１２の幅よりも小さく、高さが多孔質弾性体１２の高さよりも大きく、厚さ方向に扁平な矩形状の枠体によって構成され、少なくとも大人の指を２本以上掛けることのできる水平部を有する上端部を露出させて持ち手とする様に、多孔質弾性体１２，１２に埋設されている。袋体２０は、多孔質弾性体１２，１２の側面を覆うことができる高さを有し、収納状態において多孔質弾性体１２，１２の側面は露出しない。【選択図】図１
0003215143.tif 000002
【実用新案登録請求の範囲】
【請求項１】
合成樹脂製の袋体の内部に多孔質弾性体に中芯を埋設して四角柱状とした芯材を収納してなり、さらに、以下の構成をも備えていることを特徴とするコンクリート打継用スペーサー。
（１Ａ）前記中芯は、幅が前記多孔質弾性体の幅よりも小さく、高さが前記多孔質弾性体の高さよりも大きく、厚さ方向に扁平な枠体によって構成され、上端部を露出させて持ち手とする様に前記多孔質弾性体に埋設されていること。
（１Ｂ）前記扁平な枠体は、前記上端部が少なくとも大人の指を２本以上掛けることのできる水平部を有していること。
（１Ｃ）前記袋体は、前記多孔質弾性体の側面を覆うことができる高さを有していること。
【請求項２】
さらに、以下の構成をも備えていることを特徴とする請求項１に記載のコンクリート打継用スペーサー。
（２）前記扁平な枠体は、前記上端部から下端部に向かって矩形の長辺の間隔が徐々に狭くなるテーパを有する矩形状に屈曲された鉄線の端部同士を上部又は下部の辺で突き合わせる様に接合して構成されていること。
【請求項３】
さらに、以下の構成をも備えていることを特徴とする請求項１又は２に記載のコンクリート打継用スペーサー。
（３）前記芯材は、間に前記中芯を挟み込んだ状態で接着し合った半割の多孔質弾性体によって構成されていること。
【考案の詳細な説明】
【技術分野】
【０００１】
本考案は、コンクリートの打継ぎに用いるスペーサーに関する。
【背景技術】
【０００２】
本願出願人は、従前の技術における以下の問題を解決するための提案を行っている（特許文献１）。
【０００３】
従前の技術における問題は、軽量で取り扱い易い反面、変形し易いという問題（特許文献２）、鉄筋等によって変形し難い反面、重くなってしまうという問題（特許文献３，４）、に加えてコンクリートの打ち継ぎ現場は、必ずしも打継用スペーサーを整然と並べることができない場合があるという問題である。
【先行技術文献】
【特許文献】
【０００４】
【特許文献１】実用新案登録第３２１２１０９号公報（図１）
【特許文献２】特許第５３１４３３４号公報（図１，２）
【特許文献３】特許第４９５８０８１号公報（図２）
【特許文献４】特許第５０７３７８９号公報（図２）
【考案の概要】
【考案が解決しようとする課題】
【０００５】
特許文献１のものは、上述した従前の技術における問題を解決し、各種現場に設置可能で取り扱いの容易なコンクリート打継用スペーサーを提供するものであった。
【０００６】
しかし、工事現場からコンクリート打継用スペーサーを取り外す際に、軍手をして手の大きな作業者によるスペーサー引き抜き作業のさらなる改善が求められた。
【０００７】
そこで、本考案は、各種現場に設置可能で取り扱いが容易であることに加えて、撤収も容易なコンクリート打継用スペーサーを提供することを目的としてなされた。
【課題を解決するための手段】
【０００８】
上記目的を達成するためになされた本考案のコンクリート打継用スペーサーは、合成樹脂製の袋体の内部に多孔質弾性体に中芯を埋設して四角柱状とした芯材を収納してなり、さらに、以下の構成をも備えていることを特徴とする。
（１Ａ）前記中芯は、幅が前記多孔質弾性体の幅よりも小さく、高さが前記多孔質弾性体の高さよりも大きく、厚さ方向に扁平な枠体によって構成され、上端部を露出させて持ち手とする様に前記多孔質弾性体に埋設されていること。
（１Ｂ）前記扁平な枠体は、前記上端部が少なくとも大人の指を２本以上掛けることのできる水平部を有していること。
（１Ｃ）前記袋体は、前記多孔質弾性体の側面を覆うことができる高さを有していること。
【０００９】
本考案のコンクリート打継用スペーサーによれば、多孔質弾性体に中芯が埋設されて芯材の補強がなされると共に、中芯は扁平な枠体によって構成されているから、多孔質弾性体に埋設された部分において、芯材の厚さ方向に湾曲又は屈曲させることができる。こうしてスペーサー自体を湾曲させたり屈曲させたりすることができる結果、直立状態で整然と設置することができない様な現場や、井桁状に組んだ鉄筋が高さ方向においてずれているような現場においても、打継用スペーサーによる正しい打継面をしっかりと形成することができる。このとき、袋体が多孔質弾性体の側面を覆うことができる高さを有しているから、打継面は袋体の外面で形成され、多孔質弾性体はコンクリートに直接接触しない。そして、中芯は高さが多孔質弾性体よりも高さよりも大きく、上端部を露出させて持ち手とする様に多孔質弾性体に埋設されているから、持ち運びや鉄筋間への抜き差しに当たっては、多孔質弾性体から露出した上端部を手で持つことができ、取り扱いが容易である。特に、持ち手として使用する上端部が、少なくとも大人の指を２本以上掛けることのできる水平部を有しているから、作業者は水平部に２本以上の指を掛けて引き抜き作業を行うことができ、打ち継いだコンクリートの圧力が加わった状態のスペーサーを容易に引き抜くことができる。また、作業者が２本以上の指を掛けることのできる水平部を有する結果、運搬や設置の際の作業性も向上する。
【００１０】
本考案のコンクリート打継用スペーサーは、さらに、以下の構成をも備えるとよい。
（２）前記扁平な枠体は、前記上端部から下端部に向かって矩形の長辺の間隔が徐々に狭くなるテーパを有する矩形状に屈曲された鉄線の端部同士を上部又は下部の辺で突き合わせる様に接合して構成されていること。
【００１１】
このコンクリート打継用スペーサーによれば、矩形状の枠体は鉄線で製造されているからプレス抜き型などを用いることなく閉じた矩形形状に製造することができる。特に、枠体が上端部から下端部に向かって矩形の長辺の間隔が徐々に狭くなるテーパを有する矩形状に屈曲されているから、露出部分に作業者の指を２本以上掛けることのできる水平部を備えさせるために埋設部分にクランク状の曲げ加工を施すといった必要がなく、中芯の製造が容易である。また、中芯を構成する扁平な枠体は、テーパを有する矩形状に屈曲され、上部又は下部の辺で突き合わせる様に端部を接合された鉄線で製造されているから、鉄線の接合部分に大きな負荷を加えることなく長辺側を厚さ方向に湾曲又は屈曲させることができる。ここで、鉄線の端部の接合はスポット溶接により実施するとよい。また、スペーサーの高さ＝３００ｍｍ〜９００ｍｍに応じて、直径３．５ｍｍ〜８ｍｍの鉄線を用いるとよい。そして、
【００１２】
本考案のコンクリート打継用スペーサーは、さらに、以下の構成をも備えるとよい。
（３）前記芯材は、間に前記中芯を挟み込んだ状態で接着し合った半割の多孔質弾性体によって構成されていること。
【００１３】
かかる構成をも備えたコンクリート打継用スペーサーによれば、扁平な枠体からなる中芯を多孔質弾性体の中心部に容易に埋設することができる。このとき、中芯は、厚さ方向に扁平であるから、半割の多孔質弾性体同士の合わせ面に収納用空間を形成しなくてもよく、中芯を挟み付けた多孔質弾性体同士の変形量も少ないから、中芯の影響で外面形状に大きな膨らみを生じさせたりせず、多孔質弾性体同士の接着状態を阻害したりすることもない。この結果、係る構成を備えるコンクリート打継用スペーサーは、製造が容易になる。
【考案の効果】
【００１４】
本考案によれば、各種現場に設置可能で取り扱いが容易であることに加えて、撤収も容易なコンクリート打継用スペーサーを提供することができる。
【図面の簡単な説明】
【００１５】
【図１】実施例１のコンクリート打継用スペーサーを示し、（Ａ）は芯材を組み立てる様子の分解斜視図、（Ｂ）は芯材を袋材に収納する様子の分解斜視図である。
【図２】実施例１のコンクリート打継用スペーサーの部品を示し、（Ａ）は中芯の正面図、（Ｂ）は多孔質弾性体の六面図、（Ｃ）は袋体の六面図である。
【図３】実施例１のコンクリート打継用スペーサーの中芯の状端部に３本の指を掛けた状態を例示する斜視図である。
【図４】実施例１のコンクリート打継用スペーサーによるコンクリート打継部への設置，撤収の様子を例示する説明図である。
【考案を実施するための形態】
【００１６】
以下に、本考案を実施するための形態を実施例に基づいて説明する。
【実施例１】
【００１７】
実施例１のコンクリート打継用スペーサー１は、図１に示す様に、中芯１１を埋設された四角柱状の芯材１０を、合成樹脂製の袋体２０の内部に収納したものである。
【００１８】
芯材１０は、図１（Ａ）に示す様に、四角柱を半割にした多孔質弾性体１２，１２の間に中芯１１を挟み込んだ状態で接着し合うことによって作成され、図１（Ｂ）に示す様に、袋体２０の開口から挿入する様にして収納される。
【００１９】
中芯１１は、図１（Ａ）に示す様に、幅が多孔質弾性体１２の幅よりも小さく、高さが多孔質弾性体１２の高さよりも大きく、厚さ方向に扁平な矩形状の枠体によって構成され、少なくとも大人の指を２本以上掛けることのできる水平部を有する上端部を露出させて持ち手とする様に多孔質弾性体１２に埋設されている。袋体２０は、図１（Ｂ）に示す様に、多孔質弾性体１２の側面を覆うことができる高さを有し、収納状態においては多孔質弾性体１２の側面は露出しない。また、袋体２０の上端は開口したままとする。なお、上端を内側へ折ってガムテープなどで多孔質弾性体１２，１２の上面に貼り付ける様にしてもよい。
【００２０】
図２（Ａ）に示す様に、中芯１１を構成する矩形状の枠体は、上端部１１ａが下端部１１ｂよりも長く（Ｌ１＞Ｌ２）、上端部１１ａから下端部１１ｂに向かって矩形の長辺の間隔が徐々に狭くなるテーパを有する矩形状に屈曲された鉄線の端部同士を下辺の直線部分の中央部（下辺中央部）１１ｃで突き合わせた状態でスポット溶接によって接合されている。素材としては、例えば、直径３．５ｍｍの鉄線（日鉄住金鋼線株式会社製のＪＩＳ  Ｇ  ３５３２規格相当品）を、多孔質弾性体１０２に対して１／３〜１／２程度の幅で１．２培程度の高さを有し、上辺及び下辺を直線状として角Ｒを備える矩形状に屈曲させたものを用いる。
【００２１】
多孔質弾性体１０２としては、一方の面（図２（Ｂ）における背面図側）に接着剤層を備え剥離紙で覆った奥行き寸法を半分とした低発泡率の高密度発泡ポリウレタン製のものを２つ用いる。中芯１１は、剥離紙１０２ａを剥がした接着剤層１０２ｂ同士の間に挟み付ける様に埋設する。
【００２２】
袋体１０３としては、図２（Ｃ）に示す様に、白色ビニールシート製のものを用いる。袋状にしたときの高さが、多孔質弾性体１０２の高さよりも若干高くなる寸法のものを用いる。
【００２３】
中芯１１を構成する矩形状の枠体の上端部１２は、図３（Ａ）〜（Ｃ）に示す様に、少なくとも大人の指を２本以上掛けることのできる水平部を有している（本実施例では、３本の指を掛けることができる。）。
【００２４】
図４（Ａ）〜（Ｃ）に実施例のコンクリート打継用スペーサー１によるコンクリート打継部への設置例を示す。鉄筋支持材を井桁状に組んだ打継部の所定の位置に、打継用スペーサー１を並べる様に設置する。図３（Ａ）に示す様に、袋体２０が装着された状態で設置し、図３（Ｃ）に示す様に、袋体２０を残して芯材１０だけを抜き取る様にして解体することができる。残った袋体２０は、その後、打継面から剥がす様にして抜き取る。
【００２５】
ここで、本実施例では、持ち手として使用する上端部が、少なくとも大人の指を２本以上掛けることのできる水平部を有しているから、作業者は水平部に２本以上の指を掛けて引き抜き作業を行うことができ、打ち継いだコンクリートの圧力が加わった状態のスペーサーを容易に引き抜くことができる。また、作業者が２本以上の指を掛けることのできる水平部を有する結果、運搬や設置の際の作業性も向上する。
【００２６】
加えて、実施例のコンクリート打継用スペーサーによれば、矩形状の枠体は鉄線で製造されているからプレス抜き型などを用いることなく閉じた矩形形状に製造することができる。特に、枠体が上端部から下端部に向かって矩形の長辺の間隔が徐々に狭くなるテーパを有する矩形状に屈曲されているから、露出部分に作業者の指を２本以上掛けることのできる水平部を備えさせるために埋設部分にクランク状の曲げ加工を施すといった必要がなく、中芯１１の製造が容易である。また、矩形状の枠体は下辺中央部で突き合わせる様に端部を接合された鉄線で製造されているから、鉄線の接合部分に大きな負荷を加えることなく長辺側を厚さ方向に湾曲又は屈曲させることができる。
【００２７】
以上説明した様に、実施例によれば、各種現場に設置可能で取り扱いが容易であることに加えて、撤収も容易なコンクリート打継用スペーサーを提供することができる。
【００２８】
以上、本考案の実施例を説明したが、本考案はこれに限定されるものではなく、その要旨を逸脱しない範囲内で種々に実施することができる。
【００２９】
例えば、芯材を、一面に形成された切り込み溝に中芯が埋設された多孔質弾性体によって構成することもできる。また、袋体を、内側が平滑で外側にエンボス加工が施された合成樹脂シートで構成することもできる。なお、扁平な枠体から構成される中芯は、鉄線を曲げ加工して製造したものに限らず、プレス抜き型などを用いて金属板から打ち抜いたものを用いることもできる。加えて、上端部から下端部に向かって矩形の長辺の間隔が徐々に狭くなるテーパを有する矩形状に屈曲されたものに限らず、多孔質弾性体から露出させた持ち手の部分に、少なくとも大人の指を２本以上掛けることのできる水平部を備えさせれば、埋設部分にはクランク状の曲がりが存在していても構わない。
【産業上の利用可能性】
【００３０】
本考案は、コンクリート打ち継ぎの際のコンクリート止めに用いることができる。
【符号の説明】
【００３１】
１・・・コンクリート打継用スペーサー、１０・・・芯材、１１・・・中芯、１１ａ・・・上端部、１１ｂ・・・下端部、１１ｃ・・・下辺中央部、１２，１０２・・・多孔質弾性体、１０２ａ・・・剥離紙、１０２ｂ・・・接着剤層、１３，１０３・・・袋体。
【図１】
0003215143.tif 000003
【図２】
0003215143.tif 000004
【図３】
0003215143.tif 000005
【図４】
0003215143.tif 000006